(57)【要約】【課題】本発明において解決しようとする課題は、定置網に入った大型クラゲを、その定置網の中の魚を傷めずに、クラゲだけを選り出して、小片に切断処理した状態として網の外に排出するのが、能率よく行える動力駆動の大型クラゲ排出駆除機を得る点にある。【解決手段】軸流ポンプＰの吸込口１０側に、前端側に向け次第に拡径する漏斗状の導入筒２を接続し、その導入筒２内の基端側に寄る部位に、前記モータＭの出力軸と伝導して回転する切断刃３を配設し、該軸流ポンプＰの吐出口１１側には、排出ホースＨを接続する接続筒部４を装設して排出駆除機本体Ａを構成し、その排出駆除機本体Ａの外周に、浮子取付枠Ｂを組み付け、その浮子取付枠Ｂに浮子Ｆを取り付け、その浮子Ｆにより排出駆除機本体Ａが水面近くの水中に浮游するように支持せしめる。【選択図】図２
2011193757.tif 000002
【特許請求の範囲】
【請求項１】
外筺（１）内に油圧または電力で作動するモータ（Ｍ）とそのモータ（Ｍ）により駆動されて回転するインペラ（Ｉ）とを組み込んで構成した軸流ポンプ（Ｐ）の吸込口（１０）側に、前端側に向け次第に拡径する漏斗状の導入筒（２）を接続し、その導入筒（２）内の基端側に寄る部位に、前記モータ（Ｍ）の出力軸と伝導して回転する切断刃（３）を配設し、該軸流ポンプ（Ｐ）の吐出口（１１）側には、排出ホース（Ｈ）を接続する接続筒部（４）を装設して排出駆除機本体（Ａ）を構成し、その排出駆除機本体（Ａ）の外周に、浮子取付枠（Ｂ）を組み付け、その浮子取付枠（Ｂ）に浮子（Ｆ）を取り付け、その浮子（Ｆ）により排出駆除機本体（Ａ）が水面近くの水中に浮游するように支持せしめたことを特徴とする大型クラゲ排出駆除機。
【請求項２】
浮子取付枠（Ｂ）を、リング状に形成した前枠（６０）と角枠状に形成した後枠（６１）と、これら前枠（６０）と後枠（６１）の各上周面側の間に渡架する浮子取付桿（６４）とにより、中空の篭枠状に組み立て、排出駆除機本体（Ａ）をこの浮子取付枠（Ｂ）の内部空間内に配して漏斗状の導入筒（２）の前縁をリング状の前枠（６０）に連結し、外筺（１）の底面側を後枠（６１）に設けた支持枠（６６）に支持せしめて、浮子取付枠（Ｂ）を排出駆除機本体（Ａ）の外周に組み付けていることを特徴とする請求項１記載の大型クラゲ排出駆除機。
【請求項３】
切断刃（３）を、軸流ポンプ（Ｐ）のインペラ（Ｉ）のボス部の前端面に組み付けたことを特徴とする請求項１記載の大型クラゲ排出駆除機。
【発明の詳細な説明】
【技術分野】
【０００１】
本発明は、定置網に魚と一緒に入った大型クラゲを、定置網の外に排出・駆除する大型クラゲ排出駆除機に関するものである。
【背景技術】
【０００２】
東北各地の沿岸に大量に来遊してきて、定置網に入ることで、網や魚具を破損させたり、漁獲量を減少させるなど定置網漁業に大きな被害をもたらしている大型クラゲ（エチゼンクラゲ）についての駆除対策は、従来見るべきものはない。
【０００３】
定置網にかかることで、網や魚具に被害をもたらす大型クラゲは、定置網に魚と一緒に入った大型クラゲについては、定置網を引き揚げて魚の水揚げ作業を行うとき、その作業の障碍となるので、網の外に排除するが、その排除作業は、手工具のカマを用いて、クラゲを一つずつ切り裂きながら排除することで行っており、手間と時間を多く要する作業となって、定置網漁業の操業の作業性を著しく悪くしている問題がある。
【０００４】
この手作業で行うクラゲの排除処理手段に生じている問題は、動力で駆動される排出・処理能力の高い排出駆除機を開発して、これで対処することで解決し得ることはなるが、この水揚げ作業の前処理作業として定置網に魚と一緒に入っているクラゲを、網の外に排出・駆除する作業には、網の中に入っている魚を傷めないことと、クラゲだけを選り出して網の外に排出させなければならないこと、そして、クラゲを排出させるとき、網の外の海の中に排出すると、他の定置網に影響するので、その影響がないよう排出するクラゲを小片に切断処理しておかなければならないこと、そして、これらの処理作業を迅速に行わなければならないことの制約がある。
【発明の概要】
【発明が解決しようとする課題】
【０００５】
本発明において解決しようとする課題は、定置網に入った大型クラゲを、その定置網の中の魚を傷めずに、クラゲだけを選り出して、小片に切断処理した状態として網の外に排出するのが、能率よく行える動力駆動の大型クラゲ排出駆除機を得る点にある。
【課題を解決するための手段】
【０００６】
上述の課題を解決するための手段として、本発明においては、外筺１内に油圧または電力で作動するモータＭとそのモータＭにより駆動されて回転するインペラＩとを組み込んで構成した軸流ポンプＰの吸込口１０側に、前端側に向け次第に拡径する漏斗状の導入筒２を接続し、その導入筒２内の基端側に寄る部位に、前記モータＭの出力軸と伝導して回転する切断刃３を配設し、該軸流ポンプＰの吐出口１１側には、排出ホースＨを接続する接続筒部４を装設して排出駆除機本体Ａを構成し、その排出駆除機本体Ａの外周に、浮子取付枠Ｂを組み付け、その浮子取付枠Ｂに浮子Ｆを取り付け、その浮子Ｆにより排出駆除機本体Ａが水面近くの水中に浮游するように支持せしめたことを特徴とする大型クラゲ排出駆除機を提起し、
また、これに併せて、浮子取付枠Ｂを、リング状に形成した前枠６０と角枠状に形成した後枠６１と、これら前枠６０と後枠６１の各上周面側の間に渡架する浮子取付桿６４とにより、中空の篭枠状に組み立て、排出駆除機本体Ａをこの浮子取付枠Ｂの内部空間内に配して漏斗状の導入筒２の前縁をリング状の前枠６０に連結し、外筺１の底面側を後枠６１に設けた支持枠６６に支持せしめて、浮子取付枠Ｂを排出駆除機本体Ａの外周に組み付けていることを特徴とする大型クラゲ排出駆除機を提起し、
さらに、これに併せて、切断刃３を、軸流ポンプＰのインペラＩのボス部の前端面に組み付けたことを特徴とする大型クラゲ排出駆除機を提起するものである。
【発明の効果】
【０００７】
本発明手段の、大型クラゲ排出駆除機は、クラゲを海水と共に吸引して切断処理して排出するよう機能する排出駆除機本体が、浮子取付枠に取り付けた浮子により海水面近くに浮游するようにしてあるのだから、定置網に入った大型クラゲを、定置網内の水面近くで浮游しているところで、吸引して処理できるので、定置網内の底に集まっている魚を傷めずに大型クラゲの定置網の外への排出処理が行える。
【０００８】
そして、排出する大型クラゲの切断処理が、軸流ポンプの吸込口に海水と共に吸い込まれてきたクラゲを、軸流ポンプのインペラの前面位置に配設した回転する切断刃で切断することで行われることから、クラゲを吸引して排出する処理工程と同時に行われて、能率的に切断できる。
【図面の簡単な説明】
【０００９】
【図１】本発明を実施せる大型クラゲ排出駆除機の前面図である。
【図２】同上機の縦断側面図である。
【図３】同上大型クラゲ排出駆除機の、排出駆除機本体の外周に取り付ける浮子取付枠の斜視図である。
【発明を実施するための形態】
【００１０】
次に実施の態様を、実施例につき図面に従い詳述する。
【実施例１】
【００１１】
図１は、本発明による大型クラゲ排出駆除機の１実施例の正面図、図２は同上実施例の縦断側面図で、図において、Ａは排出駆除機本体、Ｂは浮子取付枠、Ｆは浮子取付枠Ｂに取り付けた浮子を示す。
【００１２】
排出駆除機本体Ａは、筒状に形成した外筺１内に、モータＭとそのモータＭにより駆動されて回転するインペラＩとを組み込んで構成した軸流ポンプＰと、その軸流ポンプＰの吸込口１０に接続した前端に向け次第に拡径する横向きの漏斗状またはラッパ状の導入筒２と、その導入筒２の基端側の中心部位に配設した前記モータＭにより駆動されて回転する切断刃３と、軸流ポンプＰの吐出口１１に接続した排出ホースＨ接続用の接続筒部４とからなる。
【００１３】
軸流ポンプＰは、外筺１内に、モータＭとそのモータＭの出力軸と伝導する変速機構らの伝導機構（図示省略）を収蔵する伝導機構部１２とその伝導機構部１２の出力軸と伝導して回転するインペラＩとを、軸方向に並列させて組み込み、モータＭの駆動によりインペラＩを回転させ、外筺１の前端側（図２において右端側）の開放口で形成している吸込口１０から吸引した海水を外筺１の後端側の開放口で形成している吐出口１１から吐出するようにした通常の水中ポンプの形態のものである。
【００１４】
軸流ポンプＰの外筺１内に組み込むモータＭは、インペラＩを駆動回転させるようになればよく、電力により作動する電動モータ、または油圧により作動する油圧モータの何れでもよいが、この実施例では油圧作動の油圧モータを用い、かつ、その油圧作動のモータＭは、入力油圧：６０Ｌ／ｍｉｎ×２０．６Ｍｐａ  モータ回転数：９８０〜８００ｒｐｍ  揚程と吐き出し量：０Ｍ＊２０ｍ／ｍ３ｉｎ：１Ｍ＊１６ｍ／ｍ３ｉｎの能力のものを用いている。
【００１５】
そして、そのモータＭに圧油を供給する供給管５０及びモータＭからの戻り油を導く排出管５１は、外筺１から外部に突出させて、その突出端部に接続口５を設けて、これに油圧ホース５２を接続し、その油圧ホース５２を、漁船に装備されている油圧装置の油圧ポンプ等の圧油源に対し接続することで、圧油を供給して駆動させるようにしている。
【００１６】
横向きの漏斗状の導入筒２内の基端側に寄る部位に配設する切断刃３は、図１及び図２にあるように、円板状に形成した基板３０の周縁から放射方向に突出する４枚の羽根板状に形成し、その基板３０を、軸流ポンプＰのインペラＩの回転ボス部の前端面に組み付け、その前端面に突出させたインペラＩの回転軸と一体に連結することで、各切断刃３がインペラＩと共に回転するようにしてあり、かつ、各切断刃３は、側面視において、図３にあるように、基板３０に対し前方に傾斜して放射方向に突出するように形成してあって、これにより、各切断刃３の突出端側が導入筒２内の基端側に寄る部位において回転して切断作動を行うようにしてある。
【００１７】
浮子取付枠Ｂは、排出駆除機本体Ａを浮かせる浮子Ｆを取り付けるためのもので、どのような形状に形成してよいものであるが、この例では、排出駆除機本体Ａの前面側に位置させるリング状の前枠６０と、排出駆除機本体Ａの後面側に位置させる四角な角枠状の後枠６１と、これら前後に対向する前枠６０と後枠６１との、各上周面側の間に、解除自在の連結金具６２を介して渡架連結する浮子取付桿６３と、前枠６０と後枠６１との下周面側の間に解除自在の連結金具６２を介して渡架連結する浮子取付桿６４とで、中空の篭枠状に組み立て、前枠６０の前面側には、作業員の安全を保障するためのガード枠６５を装備せしめ、後枠６１には、排出駆除機本体Ａの外筺１を下方から支承する支持枠６６が取り付けた構成のものとしてある。そして、この浮子取付枠Ｂの上面側の前後の両端部にはこの浮子取付枠Ｂを取り付けた排出駆除機本体Ａごと、漁船と搭載のクレーンで吊り上げるための、ワイヤーまたはロープを結びつける連結具６７が設けてある。
【００１８】
この浮子取付枠Ｂの、排出駆除機本体Ａに対する組み付けは、同上本体Ａの、外筺１の前端側に接続した横向きの漏斗状の導入筒２の前端側の周縁を、リング状の前枠６０の周面に溶接により一体的に連結し、排出駆除機本体Ａの、主体部である外筺１の底面を、後枠６１の下周側の枠桿から前方上方に向け突出させて設けた支持枠６６の上端部に支承させることで、排出駆除機本体Ａを、篭状に組み立てた浮子取付枠Ｂの内腔に収容して一体的に支持した状態として組み付けている。
【００１９】
この浮子取付枠Ｂに対する浮子Ｆの取り付けは、浮子取付枠Ｂの上面側に渡架した浮子取付桿６３の一端側の連結金具６２を解放して、この浮子取付桿６３に、中心部位に軸穴状の透孔を有する円柱状に形成した浮子Ｆの中心穴を挿通することで行っている。
【００２０】
浮子Ｆは、それの浮力により、海に入れた排出駆除機本体Ａを、海中の水面近くの位置に、バランスして浮游する状態に保持せるためのもので、任意の形状・構造のものに形成してよいものであるが、この例では、魚具・魚網に使用されている軸芯部に透孔があいている円柱状のフロートを用いている。
【００２１】
そして、排出駆除機本体Ａに対しての浮子Ｆの取り付けも、その排出駆除機本体Ａを上述の状態とするように外面側に取り付ければよく、所望の構造の取付枠を用いて取り付けてよいものであるが、前述の浮子取付枠Ｂの浮子取付桿６３に嵌挿して取り付けることで、嵌挿する浮子Ｆの数、及び嵌挿した浮子Ｆの位置を調整することにより、排出駆除機本体Ａの水中における浮游状態時の姿勢を調整するようにしている。また、下面側の浮子取付桿６４に、取り付ける浮子は、浮子Ｆによる排出駆除機本体Ａの海中における支持姿勢を、微調整するための、小径の調整浮子ｆであり、浮子Ｆだけで排出駆除機本体Ａが所定の状態姿勢に安定して支持されるときは、省略される。
【００２２】
このように構成してある実施例の大型クラゲ排出駆除機は、大型クラゲが発生しているとき、漁船に搭載しておいて、定置網の操業を行い、定置網の引き揚げ作業を行うときの、網を引き揚げる作業の前に、連結具６７にワイヤーまたはロープを結びつけ、そのワイヤーまたはロープを、漁船に装備されているクレーンに連繋して、そのクレーンの操作により吊り上げて、定置網の上方に動かし、定置網内に落とし込み、浮子Ｆの浮力により浮游させ、そこで、漁船に装備されている油圧装置の油圧源、発電装置の電源によりモータＭを作動させて、軸流ポンプＰ及び切断刃３を駆動させ、その状態で、クレーンの操作で大型クラゲ排出駆除機を動かし、前端の導入筒２を、定置網内の水面近くに浮游している大型クラゲに近付ければ、大型クラゲは、海水と共に導入筒２内に引き込まれ、軸流ポンプＰの吸引口に吸い込まれていき、そのとき、切断刃３により切断されて、小片の切断片となって、海水と共に軸流ポンプＰの排出口に接続した排出ホースＨから定置網の外に排出される。このとき、排出ホースＨの先端の排出口を網の外の海に開放すれば、切断処理した状態の大型クラゲが、網の外の海中に放棄されていく。また、排出ホースＨの先端を漁船に搭載しておく、回収槽に対し開放させておけば、その回収槽に集積回収されるようになる。
【符号の説明】
【００２３】
Ａ    排出駆除機本体
Ｂ    浮子取付枠
Ｆ    浮子
Ｈ    排出ホース
Ｉ    インペラ
Ｍ    モータ
Ｐ    軸流ポンプ
ｆ    調整浮子
１    外筺
１０    吸込口
１１    吐出口
１２    伝導機構部
２    導入筒
３    切断刃
４    接続筒部
５    接続口
５０    供給管
５１    排出管
５２    油圧ホース
６０    前枠
６１    後枠
６２    連結金具
６３  ６４    浮子取付桿
６５    ガード枠
６６    支持枠
６７    連結具
【図１】
2011193757.tif 000003
【図２】
2011193757.tif 000004
【図３】
2011193757.tif 000005